(57)【要約】  【課題】  構造が簡単であり、ポータブル機器が落下した際にカバーが外れることを防ぐことができ、複数色のカバーを好みによって付け替えることができる。【解決手段】  ポータブル機器の外側に配置されてポータブル機器を保護し、カバー２、３は半割り状の筐体で構成され、片方のカバー２に、上下壁４、５の外側に突出するリブ６が設けられ、他方のカバー３の上下壁７、８には、上下壁にリブが挿入される孔部９ａを有する受け部９が先端の内面に設けられ、一方のカバーの左右壁１０、１１の端部の上下に略コ字形の固定用ワイヤー１２が回動自由に枢支され、他方のカバーの後壁１３に固定用ワイヤーの先端が嵌まり込む水平向きの溝部１３ａが形成され、後壁の上下端から溝部の近傍位置まで弧状部１３ａに形成され、固定用ワイヤーの先端を他方のカバーの溝部に嵌め込んで双方のカバーをポータブル機器の外側に着脱自在に固定するように構成した。【選択図】  図３
2008167779.tif 000002
【特許請求の範囲】
【請求項１】
携帯用の小型テレビ等のポータブル機器の外側に配置されて、ポータブル機器を保護するために用いられるポータブル機器のカバーにおいて、複数色のカバーを好みに合わせて付け替えるようになされ、前記カバーは半割り状の筐体から構成されて前記ポータブル機器の外面を覆うように配置され、片方のカバーには、その上下壁の外側に突出するリブが２箇所ずつ設けられ、他方のカバーの上下壁には、その上下壁に前記リブが挿入される孔部を有する受け部が先端の内面に２箇所ずつ設けられており、更に、一方のカバーの左右壁の端部の上下に略コ字形の固定用ワイヤーが回動自由に枢支され、他方のカバーの後壁に前記固定用ワイヤーの先端が嵌まり込む水平向きの溝部が形成されていると共にこの後壁の上下端から前記溝部の近傍位置まで弧状に形成されていて、前記一方のカバーの固定用ワイヤーの先端を前記他方のカバーの溝部に嵌め込むことによって、前記一方のカバーと前記他方のカバーを前記ポータブル機器の外側に着脱自在に固定するように構成したことを特徴とするポータブル機器のカバー。
【請求項２】
携帯用の小型テレビ等のポータブル機器の外側に配置されて、ポータブル機器を保護するために用いられるポータブル機器のカバーにおいて、複数色のカバーを好みに合わせて付け替えるようになされ、前記カバーは半割り状の筐体から構成されて前記ポータブル機器の外面を覆うように配置され、前記一方のカバーの端部には上下２本の固定用ワイヤーが回動自由に枢支され、他方のカバーの端部には、前記固定用ワイヤーの先端が係止される止め部が設けられ、前記一方のカバーの固定用ワイヤーの先端を前記他方のカバーの止め部に係止することによって、前記一方のカバーと前記他方のカバーを前記ポータブル機器の外側に着脱自在に固定するように構成したことを特徴とするポータブル機器のカバー。
【請求項３】
前記固定用ワイヤーは略コ字形に形成されて前記一方のカバーの左右壁の上下に回動自由に枢支され、前記他方のカバーの止め部は、前記他方のカバーの後壁に形成されて前記固定用ワイヤーが嵌まり込む水平向きの溝部で構成され、前記他方のカバーの後壁の上下端から前記溝部の近傍位置までガイド斜面が設けられている請求項２に記載のポータブル機器のカバー。
【請求項４】
前記一方のカバーにおける固定用ワイヤーを枢支する箇所は、前部が大径孔に形成され後部が小径孔に形成されていて、前記固定用ワイヤーを他方のカバーの溝部に嵌め込む際に、固定用ワイヤーの枢支部分を前記一方のカバーの大径孔に位置させて前記固定用ワイヤーの先端を前記他方のカバーより外側に位置させた後に前記一方のカバーの小径孔に移動させてこの小径孔に係止させて前記固定用ワイヤーの先端を前記他方のカバーの溝部に嵌め込むようにした請求項３に記載のポータブル機器のカバー。
【請求項５】
前記固定用ワイヤーは、前記一方のカバーの上下壁に枢支されていて、前記他方のカバーの止め部は、前記他方のカバーの上下壁に上下向きに突出する小突起で構成され、この小突起には前記固定用ワイヤーの先端が係入係止する係止溝が形成されている請求項２に記載のポータブル機器のカバー。
【請求項６】
前記片方のカバー及び他方のカバーには、前記ポータブル機器に設けられた表示面や操作部等に対応する箇所に、前記表示面や操作部等を露出するための開口部が形成されている請求項２乃至５のいずれかに記載のポータブル機器のカバー。
【発明の詳細な説明】
【技術分野】
【０００１】
本発明は、携帯用の小型テレビ等のポータブル機器の外側に配置されて、ポータブル機器を保護するために用いられるポータブル機器のカバーに関するものである。
【背景技術】
【０００２】
第１の従来技術を図７（ａ）（ｂ）に示す。この従来の電子機器は、図７（ａ）（ｂ）に示すように、本体キャビネット１１０に対してフロント外装キャビネット１２０が着脱自在に装着される電子機器１０１であり、フロント外装キャビネット１２０に設けられ、本体キャビネット１１０に対する着脱の際の支点となる引っ掛け爪１２２および切り欠き１２３から成る支点部と、フロント外装キャビネット１２０が本体キャビネット１１０に装着された状態でフロント外装キャビネット１２０の支点部が本体キャビネット１１０から脱落するのを防止するサイドキャビネット１３０とを備えている。（例えば、特許文献１参照）。
【０００３】
ところが、これにおいては、フロント外装キャビネット１２０とリヤ外装キャビネット１３１の他にサイドキャビネット１３０を使用しているために、部品点数が多く構造が複雑になるという問題があった。また、落下したときに、フロント外装キャビネット１２０とリヤ外装キャビネット１３１が外れやすいという問題があった。更に、固定用ワイヤーを使用していないものであった。
【０００４】
第２の従来技術を図８（ａ）（ｂ）に示す。この従来のデジタルスチルカメラは、図８（ａ）（ｂ）に示すように、前面には少なくとも撮影部材２０３、２０４、２０５を、後面には少なくとも表示モニタ２０２を備えたカメラ本体２０１と、カメラ本体２０１に沿ってスライド自在に支持されて、撮影部材を覆う撮影不能位置と、撮影部材を露出させる撮影可能位置との間を移動するカバー２２１と、を備え、カバー２２１の開閉動作中にカメラ本体２０１の電源のオン・オフを行なうデジタルスチルカメラにおいて、カバー２２１が撮影不能位置にある時は、カメラ本体後面の表示モニタ２０２以外の全ての撮影部材を覆う。（例えば、特許文献２参照）。
【０００５】
ところが、これにおいては、落下したときにカバー２２１が外れやすいという問題があった。
【特許文献１】特開２００３−２３２６２号公報
【特許文献２】特開２００３−１４９７０８号公報
【発明の開示】
【発明が解決しようとする課題】
【０００６】
本発明は、上記従来の問題に鑑みてなされたものであって、構造が簡単であり、ポータブル機器が落下した際に固定用ワイヤーによって補強されてカバーが外れることを防ぐことができ、また、複数色のカバーを好みによって付け替えることができるポータブル機器のカバーを提供することを目的としている。
【課題を解決するための手段】
【０００７】
本発明は、上記課題を解決するために提案されたものであって、請求項１に記載の発明は、携帯用の小型テレビ等のポータブル機器の外側に配置されて、ポータブル機器を保護するために用いられるポータブル機器のカバーにおいて、複数色のカバーを好みに合わせて付け替えるようになされ、前記カバーは半割り状の筐体から構成されて前記ポータブル機器の外面を覆うように配置され、片方のカバーには、その上下壁の外側に突出するリブが２箇所ずつ設けられ、他方のカバーの上下壁には、その上下壁に前記リブが挿入される孔部を有する受け部が先端の内面に２箇所ずつ設けられており、更に、一方のカバーの左右壁の端部の上下に略コ字形の固定用ワイヤーが回動自由に枢支され、他方のカバーの後壁に前記固定用ワイヤーの先端が嵌まり込む水平向きの溝部が形成されていると共にこの後壁の上下端から前記溝部の近傍位置まで弧状に形成されていて、前記一方のカバーの固定用ワイヤーの先端を前記他方のカバーの溝部に嵌め込むことによって、前記一方のカバーと前記他方のカバーを前記ポータブル機器の外側に着脱自在に固定するように構成したことを特徴としている。
【０００８】
請求項２に記載の発明は、携帯用の小型テレビ等のポータブル機器の外側に配置されて、ポータブル機器を保護するために用いられるポータブル機器のカバーにおいて、複数色のカバーを好みに合わせて付け替えるようになされ、前記カバーは半割り状の筐体から構成されて前記ポータブル機器の外面を覆うように配置され、前記一方のカバーの端部には上下２本の固定用ワイヤーが回動自由に枢支され、他方のカバーの端部には、前記固定用ワイヤーの先端が係止される止め部が設けられ、前記一方のカバーの固定用ワイヤーの先端を前記他方のカバーの止め部に係止することによって、前記一方のカバーと前記他方のカバーを前記ポータブル機器の外側に着脱自在に固定するように構成したことを特徴としている。
【０００９】
請求項３に記載の発明は、請求項２に記載の発明において、前記固定用ワイヤーは略コ字形に形成されて前記一方のカバーの左右壁の上下に回動自由に枢支され、前記他方のカバーの止め部は、前記他方のカバーの後壁に形成されて前記固定用ワイヤーが嵌まり込む水平向きの溝部で構成され、前記他方のカバーの後壁の上下端から前記溝部の近傍位置までガイド斜面が設けられている。
【００１０】
請求項４に記載の発明は、請求項３に記載の発明において、前記一方のカバーにおける固定用ワイヤーを枢支する箇所は、前部が大径孔に形成され後部が小径孔に形成されていて、前記固定用ワイヤーを他方のカバーの溝部に嵌め込む際に、固定用ワイヤーの枢支部分を前記一方のカバーの大径孔に位置させて前記固定用ワイヤーの先端を前記他方のカバーより外側に位置させた後に前記一方のカバーの小径孔に移動させてこの小径孔に係止させて前記固定用ワイヤーの先端を前記他方のカバーの溝部に嵌め込むようにした。
【００１１】
請求項５に記載の発明は、請求項２に記載の発明において、前記固定用ワイヤーは、前記一方のカバーの上下壁に枢支されていて、前記他方のカバーの止め部は、前記他方のカバーの上下壁に上下向きに突出する小突起で構成され、この小突起には前記固定用ワイヤーの先端が係入係止する係止溝が形成されている。
【００１２】
請求項６に記載の発明は、請求項２乃至５のいずれかに記載の発明において、前記片方のカバー及び他方のカバーには、前記ポータブル機器に設けられた表示面や操作部等に対応する箇所に、前記表示面や操作部等を露出するための開口部が形成されている。
【発明の効果】
【００１３】
請求項１に記載の発明によれば、片方のカバーのリブを他方のカバーの受け部の孔部に挿入することによって、双方のカバーの位置合わせを行なうことができ、双方のカバーが横ずれすることを防ぐことができる。また、片方のカバーの上下２本の固定用ワイヤーを他方のカバーの溝部に嵌め込むことによって、双方のカバーを強固に固定保持することができる。更に、他方のカバーの後壁の上下端から溝部の近傍位置まで弧状に形成されているから、固定用ワイヤーの先端がこの弧状部分でガイドされて溝部に嵌まり込むので、固定用ワイヤーの先端を溝部に容易に嵌め込むことができる。また、双方のカバーが固定用ワイヤーによって補強されるので、落下したときにカバーと内部のポータブル機器を保護することができる。また、２つの半割り状のカバーで構成されているから、構造が簡単である。しかも、複数色のカバーを好みの色のカバーに付け替えて楽しむこともできる。
【００１４】
請求項２に記載の発明によれば、片方のカバーの上下２本の固定用ワイヤーを他方のカバーの止め部に係止することによって、双方のカバーを強固に固定保持することができる。また、双方のカバーが固定用ワイヤーによって補強されるから、落下したときにカバーと内部のポータブル機器を保護することができる。また、２つの半割り状のカバーで構成されているから、構造が簡単である。しかも、複数色のカバーを好みの色のカバーに付け替えて楽しむこともできる。
【００１５】
請求項３に記載の発明によれば、略コ字形に形成されて一方のカバーに枢支された固定用ワイヤーが他方のカバーのガイド斜面にガイドされて、他方のカバーの溝部に嵌まり込むので、固定用ワイヤーの先端を溝部に容易に嵌め込むことができる。
【００１６】
請求項４に記載の発明によれば、一方のカバーの固定用ワイヤーを枢支する箇所が、前部が大径孔に形成され、後部が小径孔に形成されているから、固定用ワイヤーの先端を他方のカバーの溝部に嵌め込む際に、一端固定用ワイヤーの枢支する箇所を大径孔の位置にすることによって、固定用ワイヤーの先端が他方のカバーの後壁より外側に位置させることができて、固定用ワイヤーを他方のカバーに嵌め易くすることができる。また、固定用ワイヤーの枢支する箇所を小径孔側に移動させてこの小径孔に係止することによって、固定用ワイヤーの先端を溝部に容易に嵌め込むことができると共に溝部に嵌め込んだ状態を維持することができる。
【００１７】
請求項５に記載の発明によれば、固定用ワイヤーを一方のカバーの上下壁に枢支し、他方のカバーの上下壁に上下向きに突出する小突起の係止溝に固定用ワイヤーの先端を係入係止するから、カバー内のポータブル機器の表示面の液晶に触れることを防ぐことができる。また、固定用ワイヤーが双方のカバーの上下壁の外側に位置するので、この固定用ワイヤーを他方のカバーの上下壁に設けられた小突起の係止溝へ係脱し易い利点がある。
【００１８】
請求項６に記載の発明によれば、片方のカバー及び他方のカバーにおけるポータブル機器の表示面や操作部等に対応する箇所に開口部が形成されているから、カバーを被せた状態でも操作部等を操作できると共に表示面の画像を見て楽しむことができる。
【発明を実施するための最良の形態】
【００１９】
以下、本発明に係るポータブル機器のカバーの実施の形態について、図を参照しつつ説明する。
【００２０】
図１は本発明の第１実施形態のポータブル機器のカバーとポータブル機器の分解斜視図、図２は同カバーとポータブル機器を別の方向から見た分解斜視図、図３は同カバーでポータブル機器を覆った状態の斜視図である。
【００２１】
この第１実施形態は、図１、図２に示すように、ポータブル機器の一例である携帯用の小型テレビ１の外側を半割り状のカバー２、３で覆うようにしている。片方のカバー２には、その上下壁４、５に外側に突出するリブ６が２箇所ずつ設けられ、他方のカバー３には、その上下壁７、８にリブ６が挿入される孔部９ａを有する受け部９が先端の内面に２箇所ずつ設けられている。更に、一方のカバー２の左右壁１０、１１の端部の上下に略コ字形の固定用ワイヤー１２が回動自在に枢支されている。他方のカバー３には、後壁１３に固定用ワイヤー１２の先端が嵌まり込む水平向きの溝部１３ａ、１３が上下に形成されている。
【００２２】
更に、片方のカバー２及び他方のカバー３には、携帯用の小型テレビ１の表示面１ａや操作部１ｂ等に対応する箇所に表示面１ａや操作部１ｂ等を露出するための開口部２ａ、３ａが形成されている。また、他方のカバー３の後壁１３の上下端から溝部１３ａ、１３ａの近傍位置まで弧状部１３ｂ、１３ｂが形成されている。図３に示すように、一方のカバー２に枢支された固定用ワイヤー１２の先端を他方のカバー３の溝部１３ａ、１３ａに嵌め込むことによって、一方のカバー２と他方のカバー３を携帯用の小型テレビ１の外側に着脱自在に固定するようにしている。
【００２３】
この第１実施形態によれば、片方のカバー２のリブ６を他方のカバー３の受け部９の孔部９ａに挿入することによって、双方のカバー２、３の位置合わせを行なうことができ、双方のカバー２、３が横ずれすることを防ぐことができる。また、片方のカバー２の上下２本の固定用ワイヤー１２の先端を他方のカバー３の後壁１３の溝部１３ａ、１３ａに嵌め込むことによって、双方のカバー２、３を強固に固定保持することができる。更に、他方のカバー３の後壁１３の上下端から溝部１３ａ、１３ａの近傍位置までが弧状部１３ｂ、１３ｂに形成されているから、固定用ワイヤー１２の先端がこの弧状部１３ｂ、１３ｂでガイドされて溝部１３に嵌まり込むので、固定用ワイヤー１２の先端を溝部１３ａ、１３ａに容易に嵌め込むことができる。
【００２４】
また、双方のカバー２、３が固定用ワイヤー１２、１２によって補強されるので、落下したときにカバー２、３と内部の携帯用の小型テレビ１を保護することができる。また、２つの半割り状のカバー２、３で構成されているから、構造が簡単である。しかも、複数色のカバー２、３を好みの色のカバーに付け替えて楽しむこともできる。更に、片方のカバー２及び他方のカバー３における携帯用の小型テレビ１の表示面１ａ、や操作部１ｂ等に対応する箇所に開口部２ａ、３ａが形成されているから、カバー２、３を被せた状態でも操作部１ｂ等を操作できると共に表示面１ａの画像を見て楽しむことができる。
【００２５】
図４は第２実施形態のポータブル機器のカバーでポータブル機器を覆った状態の斜視図である。尚、上記した第１実施形態と同一部材、同一箇所には、同一符号を付してその説明を省略する。
【００２６】
この第２実施形態は、図４に示すように、他方のカバー３の後壁１３の上下端から溝部１３ａ、１３ａの近傍位置までガイド斜面１３ｃ、１３ｃが設けられている。従って、この第２実施形態によれば、一方のカバー２に枢支された固定用ワイヤー１２、１２の先端が他方のカバー３の後壁１３のガイド斜面１３ｃ、１３ｃにガイドされて、他方のカバー３の後壁１３の溝部１３ａ、１３ａに嵌まり込むので、固定用ワイヤー１２、１２の先端を溝部１３ａ、１３ａに容易に嵌め込むことができる。
【００２７】
図５は第３実施形態のポータブル機器のカバーを示し、（ａ）はそのカバーでポータブル機器を覆った状態の斜視図、（ｂ）はその固定用ワイヤーがカバーの前方に若干飛び出した状態における要部の部分斜視図、（ｃ）はその固定用ワイヤーでカバーを固定したときの状態を示す要部の部分斜視図である。尚、上記した第１実施形態と同一部材、同一箇所には、同一符号を付してその説明を省略する。
【００２８】
この第３実施形態は、図５（ａ）（ｂ）（ｃ）に示すように、一方のカバー２における固定用ワイヤー１２、１２を枢支する箇所は、前部が大径孔１４に形成され後部が小径孔１５に形成されている。そして、固定用ワイヤー１２を他方のカバー２の溝部１３ａに嵌め込む際に、固定用ワイヤー１２の枢支部分を一方のカバー２の大径孔１４に位置させて固定用ワイヤー１２の端部を他方のカバー３の後壁１３より外側に位置させた後に、一方のカバー２の小径孔１５に移動させて固定用ワイヤー１２の先端を他方のカバー２の溝部１３ａに嵌め込む。
【００２９】
この第３実施形態によれば、固定用ワイヤー１２の先端を他方のカバー３の溝部１３ａに嵌め込む際に、一端固定用ワイヤー１２の枢支する箇所を大径孔１４の位置にすることによって、固定用ワイヤー１２の先端が他方のカバー３の後壁１３より外側に位置させることができて、固定用ワイヤー１２を他方のカバー３に嵌め易くすることができる。また、固定用ワイヤー１２の枢支する箇所を小径孔１５側に移動させてこの小径孔１５に係止することによって、固定用ワイヤー１２の先端を溝部１３ａに容易に嵌め込むことができると共に溝部１３ａに嵌め込んだ状態を維持することができる。
【００３０】
図６は第４実施形態のポータブル機器のカバーを示し、（ａ）はその斜視図、（ｂ）はその要部の断面図である。
【００３１】
この第４実施形態は、図６（ａ）（ｂ）に示すように、固定用ワイヤー１２、１２が、一方のカバー２の上下壁４、５に枢支されていて、他方のカバー３の上下壁７、８に上下向きに突出する小突起１６、１６が突設され、この小突起１６、１６には固定用ワイヤー１２、１２の先端が係入係止する係止溝１６ａが形成されている。従って、この第４実施形態によれば、固定用ワイヤー１２、１２を一方のカバーの上下壁４、５に枢支し、他方のカバー３の上下壁７、８に上下向きに突出する小突起１６の係止溝１６ａに固定用ワイヤー１２、１２の先端を係入係止するから、カバー２、３内の携帯用の小型テレビ１の表示面１ａの液晶に触れることを防ぐことができる。また、固定用ワイヤー１２が双方のカバー２、３の上下壁４、５、７、８の外側に位置するので、この固定用ワイヤー１２を他方のカバー３の上下壁７、８に設けられた小突起１６の係止溝１６ａへ係脱し易い利点がある。
【００３２】
尚、上記した実施形態では、ポータブル機器として携帯用の小型テレビ１について説明したが、これに限らず、携帯電話等の他のポータブル機器にも適用できることは勿論である。
【図面の簡単な説明】
【００３３】
【図１】本発明の第１実施形態のポータブル機器のカバーとポータブル機器の分解斜視図である。
【図２】同カバーとポータブル機器を別の方向から見た分解斜視図である。
【図３】同カバーでポータブル機器を覆った状態の斜視図である。
【図４】第２実施形態のポータブル機器のカバーでポータブル機器を覆った状態の斜視図である。
【図５】第３実施形態のポータブル機器のカバーを示し、（ａ）はそのカバーでポータブル機器を覆った状態の斜視図、（ｂ）はその固定用ワイヤーがカバーの前方に若干飛び出した状態における要部の部分斜視図、（ｃ）はその固定用ワイヤーでカバーを固定したときの状態を示す要部の部分斜視図である。
【図６】第４実施形態のポータブル機器のカバーを示し、（ａ）はその斜視図、（ｂ）はその要部の断面図である。
【図７】従来の電子機器を示し、（ａ）はその分解斜視図、（ｂ）はその部分斜視図である。
【図８】従来のデジタルスチルカメラを示し、（ａ）はその前側から見た斜視図、（ｂ）はその裏側から見た斜視図である。
【符号の説明】
【００３４】
１      携帯用の小型テレビ
１ａ    表示面
１ｂ    操作部
２      一方のカバー
２ａ    開口部
３      他方のカバー
３ａ    開口部
４      上壁
５      下壁
６      リブ
７      上壁
８      下壁
９      受け部
９ａ    孔部
１０    左壁
１１    右壁
１２    固定用ワイヤー
１３    後壁
１３ａ  溝部
１３ａ  弧状部
１３ｃ  ガイド斜面
１４    大径孔
１５    小径孔
１６    小突起
１６ａ  係止溝
【図１】
2008167779.tif 000003
【図２】
2008167779.tif 000004
【図３】
2008167779.tif 000005
【図４】
2008167779.tif 000006
【図５】
2008167779.tif 000007
【図６】
2008167779.tif 000008
【図７】
2008167779.tif 000009
【図８】
2008167779.tif 000010